(57)【要約】【課題】シュレッダにて粉砕される際に衝撃力等が作用すると、複数に分解し、内装された銅を含む部品を露出し易くすることができるハウジングケース及びそのハウジングケースを用いた電気機械を提供する。【解決手段】ハウジングケース４は、第１ハウジングケース５と第２ハウジングケース６とから構成されている。第１ハウジングケース５は、冷間圧延鋼板をプレス加工して形成されるもので、モータ本体２を収容するモータ本体収容部７と、減速機構３を収容する減速機構収容部８とが一体となっている。第２ハウジングケース６は、軟磁性圧粉材よりなるもので、モータ本体収容部７を被うモータ本体蓋部１２と、減速機構収容部８を被う減速機構蓋部１３とが一体となっている。モータ１がシュレッダにて粉砕される際、外部から衝撃力等が作用すると、軟磁性圧粉材よりなる第２ハウジングケース６が容易に粉砕され、内部に収容されていた電機子１９が露出され易い。【選択図】      図１
2005039971.tif 000002
【特許請求の範囲】
【請求項１】
銅を含む部品を収容するためのハウジングケースであって、
該ハウジングケースは、
開口部を有する凹形状の第１ハウジングケースと、
前記開口部を被う蓋状の第２ハウジングケースと
から構成されるとともに、第１ハウジングケース及び第２ハウジングケースの少なくともいずれか一方が軟磁性圧粉材よりなることを特徴とするハウジングケース。
【請求項２】
銅を含む部品を収容するためのハウジングケースであって、
該ハウジングケースは、
開口部を有する凹形状の第１ハウジングケースと、
前記開口部を被う蓋状の第２ハウジングケースと
から構成されるとともに、第１ハウジングケース及び第２ハウジングケースのいずれか一方が軟磁性圧粉材よりなり、他方が冷間圧延鋼板よりなることを特徴とするハウジングケース。
【請求項３】
請求項１又は２に記載のハウジングケースであって、
前記第１ハウジングケースと前記第２ハウジングケースとに接合用の縁を設けたことを特徴とするハウジングケース。
【請求項４】
請求項１乃至３のいずれか１項に記載のハウジングケースであって、
前記第１ハウジングケースと前記第２ハウジングケースとの接合部の一部又は全部に、締結手段を用いて、前記第１ハウジングケースと前記第２ハウジングケースとを締結することを特徴とするハウジングケース。
【請求項５】
請求項１乃至４のいずれか１項に記載のハウジングケースを用いたことを特徴とする電気機械。
【請求項６】
開口部を有する凹形状の第１ハウジングケースと、
前記開口部を被う第２ハウジングケースと
から構成され、銅を含む部品を収容するためのハウジングケースを備えた電気機械であって、
前記第１ハウジングケース及び前記第２ハウジングケースの少なくともいずれか一方が軟磁性圧粉材よりなることを特徴とする電気機械。
【発明の詳細な説明】
【技術分野】
【０００１】
本発明はハウジングケース及びそのハウジングケースを用いた回転電機に関する。
【背景技術】
【０００２】
近年、自動車部品のリサイクル化が促進されている。自動車部品をリサイクルするためには、まず廃棄する自動車は大きなシュレッダによって粉砕され、所定の大きさ（例えば１０［ｃｍ］四方）の篩にかけられる。その篩にかけられたスクラップの中から主として鉄が再利用される。
【０００３】
ところが、自動車には多数のモータが搭載されており、そのモータは銅線（巻線）を有している。そのため、スクラップ鉄にその銅が混じって鉄の純度を下げてしまい、結局その鉄を有効に利用できないという問題があった。
【０００４】
そこで、実際には、スクラップ鉄を人間の目で確認し、銅線を有する電機子を含んだモータを発見した場合には、それを除去する作業が行われていた。このとき、シュレッダによりモータに衝撃力等が作用してハウジングケースが破壊され、内部の電機子が見える状態であれば、その除去作業は容易である。
【０００５】
ここで、一般的に知られているモータのハウジングケースとしては、例えば、特許文献１にて開示されている構造としたものがある。このハウジングケースは磁性金属材をプレス加工して形成されるものである。
【特許文献１】特開２００３−０３２９６６号公報（第１図）
【発明の開示】
【発明が解決しようとする課題】
【０００６】
しかしながら、特許文献１にて開示されているようなハウジングケースは、磁性金属材をプレス加工して形成されるものであるため、衝撃力等が作用した際に塑性変形を起こして単に潰れ、ハウジングケースの開口を塞ぐ状態となることがある。このような場合には、そのハウジングケースの内部に電機子が収容されているかを判断することが難しく、除去作業は困難になる。
【０００７】
本発明は、こうした実情に鑑みてなされたものであって、その目的は、シュレッダにて粉砕される際に衝撃力等が作用すると、複数に分解し、内装された銅を含む部品を露出し易くすることができるハウジングケース及びそのハウジングケースを用いた電気機械を提供することにある。
【課題を解決するための手段】
【０００８】
上記課題を解決するため、請求項１に記載の発明は、銅を含む部品を収容するためのハウジングケースにおいて、該ハウジングケースは、開口部を有する凹形状の第１ハウジングケースと、前記開口部を被う蓋状の第２ハウジングケースとから構成されるとともに、第１ハウジングケース及び第２ハウジングケースの少なくともいずれか一方が軟磁性圧粉材よりなる。
【０００９】
請求項２に記載の発明は、銅を含む部品を収容するためのハウジングケースにおいて、該ハウジングケースは、開口部を有する凹形状の第１ハウジングケースと、前記開口部を被う蓋状の第２ハウジングケースとから構成されるとともに、第１ハウジングケース及び第２ハウジングケースのいずれか一方が軟磁性圧粉材よりなり、他方が冷間圧延鋼板よりなる。
【００１０】
請求項３に記載の発明は、請求項１又は２に記載のハウジングケースにおいて、前記第１ハウジングケースと前記第２ハウジングケースとに接合用の縁を設けた。
請求項４に記載の発明は、請求項１乃至３のいずれか１項に記載のハウジングケースにおいて、前記第１ハウジングケースと前記第２ハウジングケースとの接合部の一部又は全部に、締結手段を用いて、前記第１ハウジングケースと前記第２ハウジングケースとを締結する。
【００１１】
請求項５に記載の発明は、請求項１乃至４のいずれか１項に記載のハウジングケースを用いたことを特徴とする電気機械とした。
請求項６に記載の発明は、開口部を有する凹形状の第１ハウジングケースと、前記開口部を被う第２ハウジングケースとから構成され、銅を含む部品を収容するためのハウジングケースを備えた電気機械において、前記第１ハウジングケース及び前記第２ハウジングケースの少なくともいずれか一方が軟磁性圧粉材よりなる。
【００１２】
（作用）
請求項１に記載の発明によれば、第１ハウジングケース及び第２ハウジングケースの少なくとも一方は軟磁性圧粉材により形成されている。従って、ハウジングケースがシュレッダにて粉砕される際に、外部から衝撃力等が作用すると、軟磁性圧粉材よりなる部分が粉砕され、ハウジングケースが分解される。そして、ハウジングケース内に収容されていた銅を含む部品が露出され易くなる。
【００１３】
請求項２に記載の発明によれば、ハウジングケースがシュレッダにて粉砕される際に、外部から衝撃力等が作用すると、第１ハウジングケース及び第２ハウジングケースの軟磁性圧粉材よりなる一方が粉砕される。従って、冷間圧延鋼板よりなる他方の内部が露出され、ハウジングケース内に収容されていた銅を含む部品が露出され易くなる。
【００１４】
請求項３に記載の発明によれば、割れやすい軟磁性圧粉材を用いたハウジングケースであっても、縁を利用して第１ハウジングケースと第２ハウジングケースとを締結することにより容易に締結することができる。
【００１５】
請求項４に記載の発明によれば、第１ハウジングケースと第２ハウジングケースとは、締結手段を用いて締結されるため、より確実に締結される。
請求項５に記載の発明によれば、電気機械がシュレッダにて粉砕される際に、外部から衝撃力等が作用すると、電気機械のハウジングケースの軟磁性圧粉材よりなる部分が容易に粉砕され、ハウジングケース内に収容されていた銅を含む部品が露出され易い。
【００１６】
請求項６に記載の発明によれば、電気機械のハウジングケースは、第１ハウジングケース及び第２ハウジングケースの少なくともいずれか一方は軟磁性圧粉材よりなる。従って、電気機械がシュレッダにて粉砕される際に外部から衝撃力等が作用すると、粉砕され易い軟磁性圧粉材よりなる部分が粉砕される。そして、ハウジングケース内に収容されていた銅を含む部品が露出され易い。
【発明の効果】
【００１７】
本発明によれば、シュレッダにて粉砕される際に衝撃力等が作用すると、複数に分解し、内装された銅を含む部品を露出し易くすることができるハウジングケース及びそのハウジングケースを用いた電気機械を提供することができる。
【発明を実施するための最良の形態】
【００１８】
以下、本発明を具体化した一実施形態を図面に従って説明する。
図１に示すように、電気機械の一種であるモータ１は、モータ本体２と、減速機構３と、そのモータ本体２及び減速機構３を収容するハウジングケース４とを有している。
【００１９】
図２（ａ）（ｂ）はハウジングケース４を、図３は図１におけるハウジングケース４のＡ−Ａ断面を示している。図２（ａ）（ｂ）及び図３に示すように、ハウジングケース４は、開口部５ａを有する凹形状の第１ハウジングケース５と、前記開口部５ａを塞ぐ蓋状の第２ハウジングケース６とから構成されている。
【００２０】
第１ハウジングケース５は、冷間圧延鋼板をプレス加工して形成されるもので、モータ本体２を収容するモータ本体収容部７と、減速機構３を収容する減速機構収容部８とが一体になっている。モータ本体収容部７は、平面部７ａとその平面部７ａの両端部に沿って設けられる円弧部７ｂとから構成される側壁部７ｃと、その側壁部７ｃの長手方向の一端側を塞ぐ端壁部７ｄとを有している。また、減速機構収容部８は、有底円筒形のウォームホイール収容部８ａと、そのウォームホイール収容部８ａと前記モータ本体収容部７とに繋がるウォームギヤ収容部８ｂとを有している。
【００２１】
接合部としての前記開口部５ａには、縁１０が外方へ向かって庇のように延設されている。その縁１０には、モータ本体収容部７側の縁１０に５カ所、減速機構収容部８側の縁１０に５カ所、計１０カ所に締結用の爪１１が形成されている。
【００２２】
第２ハウジングケース６は、軟磁性粉体を圧縮して形成される軟磁性圧粉材よりなるもので、金型成形により製造される。その第２ハウジングケース６は、前記第１ハウジングケース５のモータ本体収容部７を被うモータ本体蓋部１２と、減速機構収容部８を被う減速機構蓋部１３とが一体に成形されている。モータ本体蓋部１２は、モータ本体収容部７と同様に平面部１２ａとその平面部１２ａの両端部に沿って設けられる円弧部１２ｂとから構成される側壁部１２ｃと、その側壁部１２ｃの長手方向の一端側を塞ぐ端壁部１２ｄとから構成され、前記第１ハウジングケース５と逆側に凹んでいる。また、減速機構蓋部１３は、ウォームホイール収容部８ａを被うとともに前記第１ハウジングケース５と逆側に凹む円形凹状のウォームホイール蓋部１３ａと、ウォームギヤ収容部８ｂを被うウォームギヤ蓋部１３ｂとを有している。そして、ウォームホイール蓋部１３ａの外周には、ボルト挿通用の挿通孔１４が３つ形成されている。
【００２３】
第２ハウジングケース６の接合部としての開口部１５には、縁１６が外方へ向かって庇のように延設されている。
上記のように構成された第１ハウジングケース５及び第２ハウジングケース６は、縁１０と１６とを重ね合わせ、図３に示すように、縁１６を挟み込むように爪１１を折り曲げ、締結手段としてかしめを用いることによって接合される。
【００２４】
モータ本体収容部７の円弧部７ｂとモータ本体蓋部１２の円弧部１２ｂとから構成される一対の円弧部１７の内周面には、マグネット１８がそれぞれ固着されており、そのマグネット１８の内側には、銅を含む部品である電機子１９が回転可能に収容されている。電機子１９は、回転軸２０、コア２１及び巻線２２を有しており、コア２１は回転軸２０に固定されるとともに、銅線よりなる巻線２２が巻装されている。
【００２５】
前記端壁部７ｄ及び端壁部１２ｄから構成される合成端壁部２３の中央に形成される有底円筒状の軸受保持部２３ａには軸受２４が収容されており、その軸受２４は前記電機子１９の回転軸２０の一端を回転可能に支持している。そして、回転軸２０の他端は、減速機構収容部８のウォームギヤ収容部８ｂに突出しており、回転軸２０のウォームギヤ収容部８ｂに収容される部分には、ウォーム２５が形成されている。
【００２６】
ウォーム２５はウォームホイール収容部８ａに回転可能に収容されたウォームホイール２６と噛み合わされており、そのウォームホイール２６は出力軸２７と一体回転するように連結されている。尚、出力軸２７は、前記ウォームホイール蓋部１３ａの中央に設けられた挿通孔２８から外方に突出している。
【００２７】
従って、ウォームホイール２６が回転すると、その回転がウォームホイール２６によって減速されて出力軸２７に伝達されるようになっている。
上記のように構成された本実施形態のモータ１がシュレッダにて粉砕される際、外部から衝撃力等が作用すると、軟磁性圧粉材よりなる第２ハウジングケース６は剛性が低いために容易に割れて粉砕される。それによって、第１ハウジングケース５の開口部５ａが外部に開かれた状態となり、ハウジングケース４の内部に収容されていた電機子１９及び銅系の軸受２４等の銅を含む部品が露出され易くなる。また、開口部５ａが外方に開かれた状態となるため、電機子１９等の銅を含む部品が開口部５ａから取り出し易くなる。
【００２８】
上記したように、本実施形態によれば、以下の効果を有する。
（１）第１ハウジングケース５は冷間圧延鋼板よりなるものであるが、第２ハウジングケース６は軟磁性圧粉材で成形されている。従って、シュレッダにて粉砕される際に、外部から衝撃力等が作用すると、剛性の低い軟磁性圧粉材によって成形されている第２ハウジングケースが粉砕されやすい。
【００２９】
（２）第２ハウジングケース６が粉砕されるだけで、第１ハウジングケース５の開口部５ａから、ハウジングケース４内に収容されていた電機子１９及びその他の銅を含む部品が露出され易い。その結果、作業者は電機子１９及びその他の銅を含む部品を容易に発見することができる。また、第２ハウジングケース６が粉砕されると、開口部５ａが外方へ開かれた状態となるため、電機子１９及びその他の銅を含む部品を発見し易いだけでなく取り出し易くなり、それらの除去作業も容易に行うことができる。
【００３０】
（３）第１ハウジングケース５及び第２ハウジングケース６はそれぞれ縁１０，１６を有している。そのため、剛性が低く割れやすい軟磁性圧粉材を使用していても、第１ハウジングケース５と第２ハウジングケース６との接合を容易に行うことができる。
【００３１】
（４）第１ハウジングケース５の縁１０に締結用の爪１１を設け、その爪１１で第２ハウジングケース６の縁１６を挟み込んでかしめるという簡単な構成で第１ハウジングケース５と第２ハウジングケース６との接合を行っている。従って、第１ハウジングケース５と第２ハウジングケース６との接合を容易に行うことができる。
【００３２】
（５）第１ハウジングケース５に第２ハウジングケース６を蓋のように被せて締結する構造となっていることから、組立の際に、まず第１ハウジングケース５にモータ本体２及び減速機構３を収容してから、第２ハウジングケース６で第１ハウジングケース５の開口部を被って締結すればよい。従って、組立作業が容易になる。
【００３３】
（６）第１ハウジングケース５が塑性を有する冷間圧延鋼板よりなることから、爪１１を曲げてかしめる際にかしめやすい。
（７）本実施形態のハウジングケース４はモータ本体収容部７と減速機構収容部８とが一体となった構成となっている。従って、ハウジングケースにかかる部品数が少なく、組立作業も容易になる。
【００３４】
尚、本発明の実施形態は、以下のように変更してもよい。
○上記実施形態では、第１ハウジングケース５を冷間圧延鋼板によって形成し、第２ハウジングケース６を軟磁性圧粉材によって形成しているが、第１ハウジングケース５を軟磁性圧粉材によって形成し、第２ハウジングケース６を冷間圧延鋼板によって形成してもよい。この場合も上記実施形態と同様の効果を得ることができる。
【００３５】
○上記実施形態では、第１ハウジングケース５は冷間圧延鋼板で形成されているが、第２ハウジングケース６と同様に軟磁性圧粉材で形成してもよい。この場合、ハウジングケース４全体が、シュレッダによって外部から作用する衝撃力等によって割れやすいため、ハウジングケース４内に収容された電機子１９及びその他の銅を含む部品がより露出され易い。その結果、作業者は電機子１９等を容易に発見し、除去することができる。
【００３６】
○上記実施形態では、縁１０に締結用の爪１１を１０カ所設けているが、１０カ所でなくてもよい。１１カ所以上にした場合は、第１ハウジングケース５と第２ハウジングケース６とはより確実に接合される。９カ所以下にした場合は、シュレッダにて粉砕される際に、外部から衝撃力等が作用すると、より分解されやすいものとなる。
【００３７】
また、爪１１の数は、モータの大きさによって適宜調節するとよい。
○上記実施形態では、縁１０に爪１１を設けてその爪１１で縁１６を挟み込んでかしめることによって第１ハウジングケース５と第２ハウジングケース６とを接合しているが、爪１１の代わりに縁１０を縁１６より長く形成し、その縁１０を折り曲げて、縁１６を挟み込んでかしめることによって接合してもよい。この場合、接合部からハウジングケース４内に異物が浸入しにくい。
【００３８】
○上記実施形態では、第１ハウジングケース５と第２ハウジングケース６との締結手段に、かしめを用いているが、この限りでない。例えば、溶接、圧接、接着、ネジ止めのいずれかを締結手段に用いてもよい。
【００３９】
○上記実施形態では、締結するために、縁１０，１６が設けられているが、縁１０，１６が無い構成であってもよい。
○上記実施形態では、ハウジングケース４は減速機構３を備えたモータ１に用いられているが、それ以外のモータ、回転電機、リレー等の電気機械に用いてもよい。その場合、電気機械がリサイクルのためにシュレッダにて粉砕される際、外部から衝撃力等が作用すると、ハウジングケースの軟磁性圧粉材よりなる部分が粉砕され、ハウジングケースが分解される。その結果、ハウジングケース内に収容されていた銅を含む部品（電機子、コイル、軸受等）が露出され易く、作業者は容易にそれらを発見し、除去することができる。
【００４０】
上記各実施形態から把握できる技術的思想を以下に記載する。
（イ）請求項３に記載のハウジングケースであって、前記縁の一部又は全部を他方の縁より長く形成し、該他方の縁を挟み込むようにかしめて、前記第１ハウジングケースと前記第２ハウジングケースとを締結したことを特徴とするハウジングケース。
【００４１】
（ロ）銅線を使用した電機子と、該電機子と一体化された機構とを収容するためのハウジングケースであって、該ハウジングケースは、開口部を有する凹形状の第１ハウジングケースと、前記開口部を被う第２ハウジングケースとから構成されているとともに、前記第１ハウジングケースの少なくともいずれか一方は軟磁性圧粉材よりなることを特徴とするハウジングケース。
【００４２】
このようにすると、ハウジングケースがシュレッダにて粉砕される際に、外部から衝撃力等が作用すると、粉砕されやすい軟磁性圧粉材よりなる部分が粉砕されて、ハウジングケース内に収容されていた銅を含む部品が露出され易い。その結果、作業者は導線を使用した電機子を発見し易く、その除去作業を容易に行うことができる。
【００４３】
（ハ）銅線を使用した電機子と、該電機子と一体化された機構とを収容するためのハウジングケースであって、該ハウジングケースは、開口部を有する凹形状の第１ハウジングケースと、前記開口部を被う第２ハウジングケースとから構成されているとともに、前記第１ハウジングケース及び前記第２ハウジングケースのいずれか一方は冷間圧延鋼板よりなり、他方は軟磁性圧粉材よりなることを特徴とするハウジングケース。
【００４４】
このようにすると、ハウジングケースがシュレッダにて粉砕される際に、外部から衝撃力等が作用すると、第１ハウジングケース及び第２ハウジングケースの軟磁性圧粉材よりなる一方が粉砕される。その結果、冷間圧延鋼板よりなる他方の内部が露出され、ハウジングケース内に収容されていた銅線を使用した電機子が露出され易くなる。従って、作業者は銅線を使用した電機子を容易に発見でき、その除去作業を容易に行うことができる。
【図面の簡単な説明】
【００４５】
【図１】モータの全体図。
【図２】（ａ）は第１ハウジングケースの正面図、（ｂ）は第２ハウジングケースの正面図。
【図３】ハウジングケースのＡ−Ａ断面図。
【符号の説明】
【００４６】
１…モータ、４…ハウジングケース、５…第１ハウジングケース、６…第２ハウジングケース、５ａ，１５…開口部、１０，１６…縁、１１…爪、１９…電機子、２２…巻線、２４…軸受。
【図１】
2005039971.tif 000003
【図２】
2005039971.tif 000004
【図３】
2005039971.tif 000005